(57)【要約】【課題】塗装対象となるワーク本体と、その付属品とを同時塗装する際に、付属品の表裏を塗装する作業負担の低減、作業効率の向上を可能にする。【解決手段】塗装工程に際し、塗装対象となるワーク本体（キャブ１００）に付属部品（フロントリッド２００）を仮固定し、同時に塗装するための塗装用治具１において、ワーク本体に着脱可能に取り付けられる治具本体２と、治具本体から水平回転可能に垂下され、前記付属部品を吊り下げ可能としたハンガー部４０を備える。ハンガー部４０の回転機構部を回転機構部カバー２５で覆う。回転機構部カバー２５は、回転方向の位置決め機能を有するのが望ましい。また、治具本体２には、伸縮自在な取付け用ロッド３を設け、該伸縮自在機構部を伸縮自在機構部カバー９で覆う。該伸縮自在機構部カバー９は、伸縮方向の位置決め機能を有するのが望ましい。【選択図】図４
2008155160.tif 000002
【特許請求の範囲】
【請求項１】
塗装工程に際し、塗装対象となるワーク本体に付属部品を仮固定し、同時に塗装するための塗装用治具において、
前記ワーク本体に着脱可能に取り付けられる治具本体と、該治具本体から水平回転可能に垂下され、前記付属部品を吊り下げ可能としたハンガー部と、を備えることを特徴とする塗装用治具。
【請求項２】
前記治具本体は、伸縮自在でワーク本体への取り付けが可能とされた取付け用ロッドを備えることを特徴とする請求項１記載の塗装用治具。
【請求項３】
前記取付け用ロッドを伸縮自在とする機構部を覆う開閉可能な伸縮自在機構部カバーを有し、該カバーは、閉状態で前記ロッドの伸縮方向における位置決めを行う機能を有することを特徴とする請求項２記載の塗装用治具。
【請求項４】
前記ハンガー部の回転機構部を覆う開閉可能な回転機構部カバーを有し、該カバーは、閉状態で前記ハンガー部の回転方向における位置決めを行う機能を有することを特徴とする請求項１〜３のいずれかに記載の塗装用治具。
【請求項５】
前記回転機構部カバーによる位置決めは、１８０度の回転角度位置毎に可能であることを特徴とする請求項４記載の塗装用治具。
【請求項６】
治具底部面に、塗装液排出用の排出孔が設けられていることを特徴とする請求項１〜５のいずれかに記載の塗装用治具。
【発明の詳細な説明】
【技術分野】
【０００１】
この発明は、塗装対象となるワーク本体に付属部品を仮固定し、ワーク本体と付属部品とを同時に塗装することを可能にする塗装用治具に関するものである。
【背景技術】
【０００２】
車両の製造工程において、車体等の塗装を行う際、例えば、キャブ塗装時には、色合いを合わせる為にその付属品（フロントリッドなどの外装部品）をキャブに仮止めして同一条件で同時に塗装する必要がある。このような塗装を可能にするため、従来から塗装用の治具が用いられている。
従来、一般的には、付属部品は簡素な治具にてキャブの穴などを利用し引掛けることで仮固定をしている。そして塗装工程では、通常は、キャブ外側からの塗料塗布のため、前記仮固定に際しては付属品も塗装を施す面がキャブ外側に面するように配置される。
ところで、フロントリッドなどでは、水の浸入による防錆と走行中の風による風切音対策として、塗料やシーリング材を裏面周囲に塗布することが行われる。そのため、上記塗装治具を用いて塗装を行う場合には、フロントリッドの外面側を塗装した後、フロントリッドの内面がキャブ外側に面するように治具ごと取外し、付け替える必要がある。この他に、治具にヒンジや回転軸を設け、治具の一部または全部が前後に傾動して被塗装ワークの傾きの調整を可能にして異なる面への塗装を可能にした塗装治具も提案されている（例えば特許文献１、２参照）。
【特許文献１】特開平４−３０４３９８号公報
【特許文献２】実公平６−３９８１５号公報
【発明の開示】
【発明が解決しようとする課題】
【０００３】
しかしながら、付属品の内外面を塗装するために治具の取り外し、取り付けを行うのは作業が繁雑で、作業に時間が掛かり工数を増大させる（サイクルタイム加算）。また、重量物を扱うので作業者の負担となる（エルゴノミクス）。一方、被塗装ワークの傾き調整を可能とするものでは、破損防止の為、付属部品と治具の重量を支えながら穏やかに慎重に倒す必要があり、作業負担が増大する。また、傾きによって被塗装ワークが脱落しないように複雑な構造を必要とし、治具コストが増大するという問題がある。さらには、治具を傾動させる機構が塗装物の付着によって動作不良を招きやすいという問題もある。
【０００４】
本発明は、上記事情を背景としてなされたものであり、簡易な構造によって付属品の内外面の塗装が可能になり、作業負担が軽減されて短時間での作業が可能となる塗装用治具を提供することを基本的な目的とする。
【課題を解決するための手段】
【０００５】
すなわち、本発明の塗装用治具のうち、請求項１記載の発明は、塗装工程に際し、塗装対象となるワーク本体に付属部品を仮固定し、同時に塗装するための塗装用治具において、前記ワーク本体に着脱可能に取り付けられる治具本体と、該治具本体から水平回転可能に垂下され、前記付属部品を吊り下げ可能としたハンガー部とを備えることを特徴とする。
【０００６】
請求項２記載の塗装用治具の発明は、請求項１記載の発明において、前記治具本体は、伸縮自在でワーク本体への取り付けが可能とされた取付け用ロッドを備えることを特徴とする。
【０００７】
請求項３記載の塗装用治具の発明は、請求項２記載の発明において、前記取付け用ロッドを伸縮自在とする機構部を覆う開閉可能な伸縮自在機構部カバーを有し、該カバーは、閉状態で前記ロッドの伸縮方向における位置決めを行う機能を有することを特徴とする。
【０００８】
請求項４記載の塗装用治具の発明は、請求項１〜３のいずれかに記載の発明において、前記ハンガー部の回転機構部を覆う開閉可能な回転機構部カバーを有し、該カバーは、閉状態で前記ハンガー部の回転方向における位置決めを行う機能を有することを特徴とする。
【０００９】
請求項５記載の塗装用治具の発明は、請求項４記載の発明において、前記回転機構部カバーによる位置決めは、１８０度の回転角度位置毎に可能であることを特徴とする。
【００１０】
請求項６記載の塗装用治具の発明は、請求項１〜５のいずれかに記載の発明において、治具底部面に、塗装液排出用の排出孔が設けられていることを特徴とする。
【００１１】
すなわち、本発明によれば、治具本体を塗装対象となるワーク本体に取り付けることで、治具本体に垂下されたハンガー部もワーク本体に間接的に取り付けられる。該ワーク本体は、塗装対象となる付属部品の吊り下げが可能になっており、該付属部品をハンガー部に吊り下げた状態で治具本体に対し水平に回転させることができる。水平方向への回転は、小さな力で良く、作業用の台車の間隔を小さく出来る。ハンガー部の回転は、例えば治具本体に回転可能にハンガー部を垂下させ、その取り付け軸を回転軸とすることにより行うことができる。
【００１２】
なお、治具本体をワーク本体に取り付けるための構成は、本発明としては特に限定をされないが、請求項２に示すように伸縮自在な取り付けロッドを介して容易に取り付けを行うことができる。該取り付けロッドは、ワーク本体に有する穴などに挿通したり係止したりして取り付けを行うことができる。取り付けロッドは、治具本体の両側に設けることでワーク本体への取り付けを容易に行うことができる。なお、両側に取付ロッドを設ける構造では、取り付けロッドの一方のみを伸縮自在とするものであってもよく、両側の取り付けロッドを伸縮自在とするものであってもよい。両側の取り付けロッドを伸縮自在とすることによりワーク本体の幅に合わせて取り付けを行うことができるとともに、取り付け後にハンガー部をワーク本体の所望の箇所（例えばセンター付近など）に位置させることができる。また、治具本体の少なくとも片方側に縦位置を異にした他の取り付けロッドを設けることで治具本体の回転を防止することができる。
【００１３】
なお、取り付けロッドを伸縮自在とする機構は、取り付けロッドを治具本体に対し摺動させるなどの構造により構成することができる。該機構部は、開閉可能な伸縮自在機構部カバーで覆うのが望ましい。該カバーによって、塗装時に塗装液が上記機構に付着、乾燥して伸縮自在機能に支障が生じるのを防止する。なお、該カバーには、閉時に、取り付けロッドの伸縮位置の位置決めを行う機能を与えるのが望ましい。該機能は、例えばカバーの一部と摺動する部材とが係止されて取り付けロッドの伸縮が阻止される構造により得ることができる。上記カバーにより、ロッドの位置決めと同時にカバーで抑えて振動・衝撃時の外れや塗料の付着を防止することができる。
【００１４】
また、前記ハンガー部の回転機構部は、開閉可能な回転機構部カバーで覆うのが望ましい。これにより塗装時に塗料が該機構に付着して回転機能に支障が生じるのを防止する。該カバーは、閉時に前記ハンガー部の回転方向における位置決めを行う機能を有するのが望ましい。該機能は、例えば、該カバーと回転する部材とが係止されてハンガー部の回転が阻止される構造により得ることができる。なお、回転方向の位置決めは、少なくても１８０度毎に行うことができるのが望ましい。これによりハンガー部を付属品とともに表裏反転させて位置決めすることができる。該カバーにより、反転後の角度固定と同時に、回転部分の塗料の付着の防止が図れる。
【００１５】
また、治具底部面の適所には、塗装液排出用の排出孔を設けるのが望ましい。特に、前記回転機構部や伸縮自在機構部に設けて、回転機構部カバーや伸縮自在機構部カバー内に侵入してしまった塗装液を速やかに排出して滞留を防止するのが望ましい。
【発明の効果】
【００１６】
以上説明したように、本発明の塗装用治具によれば、塗装工程に際し、塗装対象となるワーク本体に付属部品を仮固定し、同時に塗装するための塗装用治具において、前記ワーク本体に着脱可能に取り付けられる治具本体と、該治具本体から水平回転可能に垂下され、前記付属部品を吊り下げ可能としたハンガー部とを備えるので、ワーク本体に間接的に仮固定されたハンガー部に付属品を容易に吊り下げて表裏反転させて塗装に供することができる効果がある。
【発明を実施するための最良の形態】
【００１７】
以下に、本発明の一実施形態を図１〜図４に基づいて説明する。
塗装用治具１は、図１に示すように、横方向に伸びる棒状の治具本体２を有しており、その一端に横方向に伸縮自在な取り付けロッド３が設けられており、他端には横方向に伸張する長さ固定の取り付けロッド４と高さ位置を変えた取り付けロッド５が固定されている。
【００１８】
取り付けロッド３は、基端側が、治具本体２の一端側に位置する中空のロッド基端収納筒部６内に摺動可能に収納されており、図２に詳細を示すように、該ロッド収納筒部６に設けた横長のスライド穴６０から前記取り付けロッド３の基端に固定した操作バー３ａが突出して取り付けロッド３の伸縮操作が可能になっている。上記ロッド収納筒部６内空間、スライド穴６０、取り付けロッド３の基端部、操作バー３ａによって取り付けロッドの伸縮自在機構部が構成されている。
【００１９】
上記スライド穴６０の上部側には、ヒンジ８で上端側がロッド基端収納筒部６に取り付けられて上下に回転可能とされた伸縮自在機構部カバー９が設けられている。該伸縮自在機構部カバー９は、上下方向においてほぼ９０度に屈曲した前面側の屈曲面壁９０と両側の側面壁９１、９１とで構成されており、上方に回転させた開時には、上記スライド穴６０が露出して操作バー３ａの操作が可能となる。一方、下方に回転させた閉時には伸縮自在機構部カバー９の屈曲面壁９０および側面壁９１の周縁面が、前記スライド穴６０周縁付近のロッド基端収納筒部６と、ロッド基端収納筒部６の下面側に設けたカバープレート１０に接触して前記スライド穴６０を覆う。なお、前記スライド穴６０の下方側穴縁には、前記操作バー３ａを収めることができる複数の位置決め切り欠き６０ａ、６０ｂ、６０ｃが設けられている。また、伸縮自在機構部カバー９の屈曲面壁９０の下端側には、同じく前記操作バー３ａを収めることができる複数の位置決め切り欠き９０ａ、９０ｂ、９０ｃが屈曲面壁９０の下端に開放するように設けられており、これら位置決め切り欠き９０ａ、９０ｂ、９０ｃと、前記スライド穴６０の位置決め切り欠き６０ａ、６０ｂ、６０ｃとは、横方向位置が合うように位置付けられている。
上記位置決め切り欠き９０ａ〜９０ｂおよび位置決め切り欠き６０ａ〜６０ｃのいずれかの組み合わせに前記操作バー３ａが収まることで伸縮自在機構部カバー９を完全に閉じることが可能になる。なお、ロッド基端収納筒部６０の底部面には、適所に塗装液排出用の排出孔６ｂ、６ｂが形成されている。
【００２０】
また、治具本体２の中程には、図３に詳細を示すように、前方に突出した水平な取付板２０が設けられており、該取付板２０の下面に円筒パイプ２１が垂下固定されている。該パイプ２１に連通して取付板２０には貫通穴２０ａが形成されている。前記円筒パイプ２１内には、軸部３０が挿通されており、該軸部３０の上端部に形成されたねじ部は、取付板２０の貫通穴２０ａから上方に伸張し、ナット３１が螺合されている。該ナット３１は、前記貫通穴２０ａよりも大径に形成されており、これによって軸部３０が、取付板２０に回転可能に垂下されている。上記取付板２０および軸部３０によって回転機構部が構成されている。
【００２１】
また、軸部３０の下方側には、軸中心対象位置において軸部３０の外周面に係合板３２ａ、３２ｂが固定されており、該係合板３２ａ、３２ｂは、外周側が、外側ほど幅狭になるテーパ形状に形成されている。さらに軸部３０には、係合板３２ａ、３２ｂの下方位置において、横方向に伸張するハンガー部４０が固定されている。なお、ハンガー部４０は、係合板３２ａ、３２ｂの対向方向に対し、９０度の角度を有するように固定されている。
【００２２】
上記取付板２０が固定されている治具本体２には、該取付板２０の背面側から前記係合板３２ａ、３２ｂの上面やや上方に至るまで前記軸部３０の背面を覆う背面固定カバー２２が下方に向けて設けられており、該背面固定カバー２２に連なって、前記係合板３２ａ、３２ｂの上面やや上方に至るまで、前記軸部３０を両側方から覆う側面固定カバー２３、２３が設けられている。これら背面固定カバー２２および側面固定カバー２３の下端を前記係合板３２ａ、３２ｂの上面やや上方に位置させることで、これら係合板３２ａ、３２ｂを、背面固定カバー２２および側面固定カバー２３と干渉することなく前記軸部３０とともに回転させることができる。
【００２３】
また、上記取付板２０の両側方には、前記治具本体２に回転機構部カバー２５が上下方向に９０度の角度で回転できるように取り付けられている。回転機構部カバー２５は、閉時に前記軸部３０から前記係合板３２ａ、３２ｂの下面付近に至るまで前面および側面を覆う前面板２５ａと側面板２５ｂおよび取付板２０の上方側を覆う上面板２５ｃとを有している。２つの側面板２５ｂ、２５ｂは、両者間の内面距離が係合板３２ａ、３２ｂの幅よりも僅かに大きくて、閉時には係合板３２ａ、３２ｂの側面に略沿い、さらに前記側面固定カバー２３の外側に僅かに重なって内部を封止できる形状を有している。
【００２４】
この回転機構部カバー２５を下方に回転させて閉じると、取付板２０から係合板３２ａ、３２ｂに至る軸部３０は、背面固定カバー２２、側面固定カバー２３と共同して上下、前後、左右の６面で覆われることになる。なお、回転機構部カバー２５を閉じた際にも係合板３２ａ、３２ｂ間の底部側には隙間が形成されており、この隙間は、塗装液排出用の排出孔３２ｃとして機能する。
なお、治具本体の閉断面部では、下面にさらに適宜の排出孔を穿孔することができる。排出孔は、塗装時に治具の閉断面内部に流入した塗装液を速やかに流出させ、前記内部に残留しないようにする。
【００２５】
次に、上記塗装用治具１の使用方法について図４に基づいて説明する。
塗装対象となるワーク本体であるキャブ１００に対し、前記した取付け用ロッド３、４、５をキャブ１００のＡピラー部の穴内に挿入する。この際には、伸縮自在機構部カバー９を開け、操作バー３ａによって取付け用ロッド３の基端部をロッド基端収納部６内で摺動させ、該ロッド基端収納部６から伸張している取付け用ロッド３を伸縮させてキャブ１００の幅に合わせる調整を行う。該調整では、異なるキャブの幅に応じて３つの伸縮量が想定されている。該調整後、伸縮自在機構部カバー９を回転させて閉じると、操作バー３ａが該カバー９に設けられた位置決め切り欠き９０ａ〜９０ｃおよびスライド穴６０の位置決め切り欠き６０ａ〜６０ｃのいずれかに収まって取付ロッド３の位置決めがなされる。なお、伸縮自在機構部カバー９を閉めた際に操作バー３ａが切り欠きから僅かにずれる場合には、操作バー３ａを微調整して近傍の切り欠き内に納めればよい。伸縮自在機構部カバー９は、上記位置決め部からの操作バーの外れと、伸縮自在機構部に対する塗装防止も兼ねる。なお、治具本体２のワーク本体への取付は、スペース、時間の余裕のある初期工程で行われる。
【００２６】
一方、付属品であるフロントリッド２００をボルト、ピンなどで固定する吊り具５０を用意し、前記フロントリッド２００を吊り具５０に取り付けた後、該吊り具５０に設けた２つのフック５１、５１をハンガー部４０に掛けてフロントリッド２００の仮固定を行う。これにより、フロントリッド２００は、塗装用治具１を介して、キャブ１００のフロントガラス部１０１に配置される。なお、この際には、回転機構部カバー２５を閉じて、該回転機構部カバー２５を係合板３２ａ、３２ｂのいずれかに嵌めておく。この実施形態では、係合板３２ａが外面側に位置しているものとする。上記回転機構部カバー２５を閉じておくことによって、回転機構部が覆われているとともに、ハンガー部４０の回転が阻止されて回転方向の位置決めがなされている。
上記のようにフロントリッド２００は、吊り具５０を介して治具本体２のハンガー部４０に引っ掛けるだけなので、スペース、時間もそれ程必要とせず、容易に作業を行うことができる。このようにしてワーク本体に仮固定されて後、電着塗装が施される。
上記塗装の際には、回転機構部および伸縮自在機構部は、カバーされて塗装液の侵入が極力防止される。また、治具の内部に侵入した塗装液は、排出孔を通して速やかに外部に流出し、内部への滞留が抑止される。
【００２７】
該フロントリッド２００は、前記したように、内面側の塗装やシーリング材の塗布も必要とされるため、上記により電着塗装した後、回転機構部カバー２５を上方に回転させて開け、該回転機構部カバー２５と係合板３２ａとの係止を解き、軸部３０を介してハンガー部４０および吊り具５０、フロントリッド２００を水平に１８０度回転させる。この際に、軸部３０は、垂直に立つ回転支点の為、フロントリッド２００の質量と、吊り具５０の質量は支点が支えるので作業負担が少なく、容易に回転作業を行うことができる。また、回転に際し、回転機構部カバー２５と係合板３２ａ、３２ｂとの係止により回転支点のストッパとなり１８０度毎に回転させることが容易となる。
【００２８】
上記軸部を１８０度回転させた後、回転機構部カバー２５を下方側に回転させて閉じると、回転機構部カバー２５が係合板３２ｂの外周側のテーパ部分から順次係合板３２ｂの外側面側に嵌まる。これにより該回転機構部カバー２５の側面２５ｂと係合板３２ｂ側面とが係止され、係合板３２ｂが固定されている軸部３０の回転が阻止されて回転方向での位置決めが行われる。これにより、吊り具５０に固定されているフロントリッド２００は内面側が外側に面し、続いて内面側に塗装（ここでは外周部にシーリング材の塗布）が施される。
そして、上記と逆の手順で、外面側を外向きに戻され、その後は、キャブ１００およびフロントリッド２００は、上塗り工程に送られる。
上記によりワーク本体であるキャブと付属品であるフロントリッドとを同時に塗装できるとともに、付属品の内外面への塗装作業も容易に行うことができる。更にカバー９、２５により摺動部の塗料の付着も防止できる。
【００２９】
なお、上記実施形態では、ワーク本体としてキャブ、付属品としてフロントリッドについて説明をしたが、本発明としては、塗装対象がキャブ、フロントリッドに限られるものではなく、種々のものを対象にすることができる。すなわち、本発明は、塗装時に同時塗装が求められる、そのために塗装対象に付属させて塗装する場合で尚且つその付属部品の向きを変える必要が有る場合に有効なものである。すなわち、本発明は上記実施形態の説明の内容に限定をされるものではなく、本発明の範囲を逸脱しない範囲で適宜の変更が可能である。
【図面の簡単な説明】
【００３０】
【図１】本発明の一実施形態の塗装用治具と吊り具とを示す斜視図である。
【図２】同じく、伸縮自在機構部周辺の拡大図であり、（ａ）は、伸縮自在機構部カバーを閉じた状態、（ｂ）は、伸縮自在機構部カバーを開けた状態を示す図である。
【図３】同じく、回転機構部周辺の拡大図であり、（ａ）は、回転機構部カバーを閉じた状態、（ｂ）は、回転機構部カバーを開けた状態を示す図である。
【図４】同じく、塗装用治具の使用状態を示す図である。
【符号の説明】
【００３１】
１      塗装用治具
２      治具本体
３      取付け用ロッド
３ａ    操作バー
４      取付け用ロッド
５      取付け用ロッド
６      ロッド基端収納筒部
６０    スライド穴
６ｂ    排出孔
６０ａ  位置決め切り欠き
６０ｂ  位置決め切り欠き
６０ｃ  位置決め切り欠き
９      伸縮自在機構部カバー
９０ａ  位置決め切り欠き
９０ｂ  位置決め切り欠き
９０ｃ  位置決め切り欠き
２５    回転機構部カバー
３０    軸部
３２ａ  係合板
３２ｂ  係合板
３２ｃ  排出孔
４０    ハンガー部
【図１】
2008155160.tif 000003
【図２】
2008155160.tif 000004
【図３】
2008155160.tif 000005
【図４】
2008155160.tif 000006